(57)【要約】【課題】消費電力を小さくし、かつ設計の自由度を大きくすることが可能なレンズ駆動装置を提供する。【解決手段】レンズ駆動装置において、レンズの光軸方向に沿って移動可能な可動体と、平面形状の磁極面であって同じ極性の磁極面を複数含む固定体と、を備え、前記可動体は、レンズ鏡筒を取り付け可能な保持部と、前記保持部に巻回されたコイルと、を含み、前記コイルは、前記複数の前記磁極面にそれぞれ対向する複数の平面部を有する。【選択図】図２
2019090846.tif 000002
【特許請求の範囲】
【請求項１】
レンズの光軸方向に沿って移動可能な可動体と、
平面形状の磁極面であって同じ極性の磁極面を複数含む固定体と、を備え、
前記可動体は、
レンズ鏡筒を取り付け可能な保持部と、
前記保持部に巻回されたコイルと、を含み、
前記コイルは、前記複数の前記磁極面にそれぞれ対向する複数の平面部を有する、
レンズ駆動装置。
【請求項２】
前記固定体は、複数の前記磁極面を有するマグネットを含む、
請求項１に記載のレンズ駆動装置。
【請求項３】
前記マグネットは、２つの前記磁極面を有する、
請求項２に記載のレンズ駆動装置。
【請求項４】
前記マグネットには、前記２つの前記磁極面を斜面とするＶ字状の溝が設けられている、
請求項３に記載のレンズ駆動装置。
【請求項５】
前記マグネットは、略台形の断面を有する柱体において、前記台形の下底を含む側面において前記溝が前記柱体の高さ方向に沿って設けられた形状をしている、
請求項４に記載のレンズ駆動装置。
【請求項６】
前記溝が切削によって形成される、
請求項４または請求項５に記載のレンズ駆動装置。
【発明の詳細な説明】
【技術分野】
【０００１】
本発明の一態様は、カメラなどの撮像装置に採用されるレンズ駆動装置などに関する。
【背景技術】
【０００２】
撮像装置において、レンズを機械的に自動で移動させるオートフォーカスの機構が設けられることがある。このような撮像装置は、例えば特許文献１などに開示されている。
【先行技術文献】
【特許文献】
【０００３】
【特許文献１】特開２０１０−１４９２０号公報
【発明の概要】
【発明が解決しようとする課題】
【０００４】
オートフォーカスの機構では、たとえば、レンズが取り付けられたコイルが磁場中に設けられており、流れる電流によってコイルがローレンツ力を受ける性質を用いて、コイルすなわちレンズの駆動が行われる。カメラなどの撮像装置においては、消費電力が小さく、かつ設計の自由度の大きいレンズ駆動装置が求められる。特に近年、携帯機器などにもレンズ駆動装置が搭載されてきており、従来よりも消費電力を低減させた構成が求められている。さらに、落下等の衝撃に対する耐性をさらに高めた構成が求められている。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
レンズの光軸方向に沿って移動可能な可動体（３、４３）と、
平面形状の磁極面であって同じ極性の磁極面を複数含む固定体（２、４２）と、を備え、
前記可動体（３）は、
レンズ鏡筒を取り付け可能な保持部（３１、７１）と、
前記保持部（３１、７１）に巻回されたコイル（３２）と、を含み、
前記コイル（３２）は、前記複数の前記磁極面にそれぞれ対向する複数の平面部を有する、
レンズ駆動装置である。
【０００７】
上記構成のレンズ駆動装置によれば、平面形状の磁極面と平面部とが対向する配置によって、互いに対向する面積を大きくすることができるので、コイルに流れる電流が小さくてもコイルに働くローレンツ力を大きくすることができる。これにより、消費電力を低減させることができる。また、たとえば、固定体および可動体が板バネなどの弾性体によって接続される場合において、より弾性率の大きい板バネを用いることができるので、固定体および可動体をより堅牢に接続することができる。これにより、レンズ駆動装置の姿勢変化による配置の歪みを低減するとともに、耐衝撃性を高めることができる。すなわち、姿勢による性能差の低減および耐衝撃性に対して有利に設計することができる。また、製造における板バネの取り扱いの難易度を下げることができるので、生産性を向上させることができる。
【０００８】
上記レンズ駆動装置において、好ましくは、
前記固定体（２、４２）は、複数の前記磁極面を有するマグネット（２２）を含む。
【０００９】
上記構成のレンズ駆動装置によれば、たとえば、１つの磁極面を有するマグネットを用いる場合と比べて、レンズ駆動装置における部品点数を低減するとともに、製造時におけるマグネットの組み付け工数を低減することができる。
【００１０】
上記レンズ駆動装置において、好ましくは、
前記マグネット（２２）は、２つの前記磁極面（２２ａ、２２ｂ）を有する。
【００１１】
上記構成のレンズ駆動装置によれば、マグネットの構造を簡素にすることができるので、マグネットを容易に製造することができる。
【００１２】
上記レンズ駆動装置において、好ましくは、
前記マグネット（２２）には、前記２つの前記磁極面（２２ａ、２２ｂ）を斜面とするＶ字状の溝（２２ｃ）が設けられている。
【００１３】
上記構成のレンズ駆動装置によれば、マグネットの構造をより簡素にすることができるので、マグネットをより容易に製造することができる。また、コイルの形状を、たとえば、Ｖ字の溝の形状に応じた角を有する形状にすることで、無駄な空間の発生を抑制しながら２つの磁極面および２つの平面部をそれぞれ対向させることができるので、空間を有効に活用することができる。
【００１４】
上記レンズ駆動装置において、好ましくは、
前記マグネットは、略台形の断面を有する柱体において、前記台形の下底を含む側面（２２ｄ）において前記溝（２２ｃ）が前記柱体の高さ方向に沿って設けられた形状をしている。
【００１５】
上記構成のレンズ駆動装置によれば、台形の上底を含む側面側すなわち上記溝の反対側におけるマグネットの容積を小さくすることができるので、マグネット自体をコンパクトにすることができる。また、マグネットをたとえばマグネットホルダーに固定する際に上記溝の反対側をマグネットホルダーに固定することで、マグネットホルダー近傍におけるマグネットの容積をより小さくすることができるので、マグネットホルダーの形状の自由度を高めることができる。
【００１６】
上記レンズ駆動装置において、好ましくは、
前記溝（２２ｃ）が切削によって形成される。
【００１７】
上記構成のレンズ駆動装置によれば、マグネットの製造を容易にすることができる。また、特殊な形状のマグネットを用いる必要がないため、比較的安価な構成にすることができる。
【図面の簡単な説明】
【００１８】
【図１】図１は、実施形態１のレンズ駆動装置の分解斜視図である。
【図２】図２は、実施形態１のレンズ駆動装置の外観正面図である。
【図３】図３は、実施形態１のレンズ駆動装置の断面図である。
【図４】図４は、実施形態１のマグネットの外観斜視図である。
【図５】図５は、実施形態２のレンズ駆動装置の分解斜視図である。
【図６】図６は、実施形態２のレンズ駆動装置の外観正面図である。
【発明を実施するための形態】
【００１９】
本発明のレンズ駆動装置は、レンズの光軸方向に沿って移動可能な可動体と、平面形状の磁極面であって同じ極性の磁極面を複数含む固定体と、を備え、可動体における保持部に巻回されたコイルにおいて、上記複数の磁極面にそれぞれ対向する複数の平面部が設けられる構成としている点を特徴のひとつとする。
【００２０】
本発明に係る実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．発明の特徴
４．補足事項
【００２１】
＜１．実施形態１＞
本発明の実施形態について、図面を参照しながら説明する。図１は、実施形態１のレンズ駆動装置の分解斜視図である。図２は、実施形態１のレンズ駆動装置の外観正面図である。図３は、実施形態１のレンズ駆動装置の断面図である。図３には、図２の切断線ＩＩＩ−ＩＩＩにおける断面図が示される。
【００２２】
図１〜図３に示されるように、実施形態１のレンズ駆動装置１は、固定体２および可動体３を含んで構成される。固定体２は、マグネットホルダー２１、マグネット２２Ｗ、マグネット２２Ｘ、マグネット２２Ｙ、およびマグネット２２Ｚを含んで構成される。可動体３は、保持部３１およびコイル３２を含んで構成される。以下、マグネット２２Ｗ、マグネット２２Ｘ、マグネット２２Ｙ、およびマグネット２２Ｚの各々を、マグネット２２と総称することがある。
【００２３】
＜マグネットホルダー２１＞
本実施形態においては、マグネットホルダー２１は、開口部２１ａの形成された底面２１ｂと、底面２１ｂに接続され、かつ略正方形の断面を有する筒部２１ｃと、を有する。マグネットホルダー２１は、たとえば、ＬＣＰ（Liquid Crystal Polymer、液晶ポリマー）樹脂などの樹脂部材によって形成されており、撮像装置のフレーム（図示しない）に固定される。
【００２４】
＜マグネット２２＞
図４は、実施形態１のマグネットの外観斜視図である。主に図１および図４に示されるように、マグネット２２は、平面形状の磁極面であって同じ極性の磁極面２２ａおよび２２ｂを含む。本実施形態においては、マグネット２２には、磁極面２２ａおよび２２ｂを斜面とするＶ字状の溝２２ｃが設けられている。詳細には、マグネット２２は、略台形の断面を有する柱体において、当該台形の下底を含む側面２２ｄにおいて溝２２ｃが当該柱体の高さ方向に沿って設けられた形状をしている。ここで、溝２２ｃは、切削によって形成されている。
【００２５】
本実施形態においては、マグネット２２は、たとえば、切削加工が行われる前の状態において、上底および下底を含む略台形の断面を有する磁性体である。詳細には、マグネット２２は、たとえば、上記下底を含む側面すなわち側面２２ｄ側、および上記上底を含む側面２２ｅ側がそれぞれＳ磁極Ｐ１およびＮ磁極Ｐ２に磁化された磁性体に対して、以下の加工が施されることによって製造される。すなわち、マグネット２２は、側面２２ｄに対して高さ方向にＶ字状の溝２２ｃが形成されるように切削加工が施されることによって製造される。ここで、溝２２ｃにおける磁極面２２ａと磁極面２２ｂとがなす角度は、略直角である。なお、マグネット２２において、側面２２ｄ側および側面２２ｅ側が、それぞれＳ磁極Ｐ１およびＮ磁極Ｐ２に磁化される構成に限らず、側面２２ｄ側および側面２２ｅ側が、それぞれＮ磁極Ｐ２およびＳ磁極Ｐ１に磁化される構成であってもよい。
【００２６】
主に図２および図３に示されるように、４つのマグネット２２は、マグネットホルダー２１の筒部２１ｃの内部空間に設けられる。詳細には、４つのマグネット２２の各々は、側面２２ｅ側が筒部２１ｃにおける内面の隅に位置するように当該筒部２１ｃの内部空間に設けられる。この際、図２に示されるように、マグネット２２Ｗ、２２Ｘ、２２Ｙ、および２２Ｚは、マグネット２２Ｗの磁極面２２ａとマグネット２２Ｘの磁極面２２ｂとが対向し、マグネット２２Ｘの磁極面２２ａとマグネット２２Ｙの磁極面２２ｂとが対向し、マグネット２２Ｙの磁極面２２ａとマグネット２２Ｚの磁極面２２ｂとが対向し、かつマグネット２２Ｚの磁極面２２ａとマグネット２２Ｗの磁極面２２ｂとが対向するように配置される。
【００２７】
＜保持部３１＞
主に図１〜図３に示されるように、可動体３は、レンズ（図示しない）の光軸方向に沿って移動可能である。詳細には、可動体３における保持部３１は、略正方形の断面を有する直方体の形状をしており、レンズ鏡筒（図示しない）を取り付け可能である。本実施形態においては、保持部３１は、ねじ山が形成されたねじ穴３１ａを中央部に有する。ねじ穴３１ａの軸は、当該直方体の高さ方向と平行である。たとえば、外周面にねじ山が形成された円筒形のレンズ鏡筒が、ねじ穴３１ａにおけるねじ山と螺合することにより、レンズ鏡筒が保持部３１に保持される。たとえば、レンズ鏡筒の内部には、光軸がレンズ鏡筒の軸と平行になるように、上記のレンズが設けられている。これにより、レンズ鏡筒が保持部３１に保持された状態において、レンズの光軸とねじ穴３１ａの軸とが平行になっている。また、保持部３１における４つの側面には、コの字状の溝３１ｂが連続するように形成されている。
【００２８】
＜コイル３２＞
コイル３２は、保持部３１に巻回されている。本実施形態においては、コイル３２は、電線であるマグネットワイヤが、保持部３１の各外側面における溝３１ｂに巻き付けられることによって形成される。図１に示されるように、コイル３２は、平面形状の外周面３３Ｗ、３３Ｘ、３３Ｙ、および３３Ｚを有する。外周面３３Ｗは、平面部３２Ｗｂおよび平面部３２Ｘａを含む。外周面３３Ｘは、平面部３２Ｘｂおよび平面部３２Ｙａを含む。外周面３３Ｙは、平面部３２Ｙｂおよび平面部３２Ｚａを含む。外周面３３Ｚは、平面部３２Ｚｂおよび平面部３２Ｗａを含む。
【００２９】
主に図２および図３に示されるように、可動体３は、たとえば板バネ（図示しない）を介して固定体２に接続されている。詳細には、可動体３の保持部３１は、板バネを介して固定体２のマグネットホルダー２１に接続されている。より詳細には、可動体３が、固定体２の内部空間２ａに収まった状態（以下、格納状態と称する。）において、コイル３２の平面部３２Ｗａ、３２Ｗｂ、３２Ｘａ、３２Ｘｂ、３２Ｙａ、３２Ｙｂ、３２Ｚａ、および３２Ｚｂは、それぞれマグネット２２の磁極面と対向する。具体的には、平面部３２Ｗａおよび３２Ｗｂは、マグネット２２Ｗの磁極面２２ａおよびマグネット２２Ｗの磁極面２２ｂとそれぞれ対向する。平面部３２Ｘａおよび３２Ｘｂは、マグネット２２Ｘの磁極面２２ａおよびマグネット２２Ｘの磁極面２２ｂとそれぞれ対向する。平面部３２Ｙａおよび３２Ｙｂは、マグネット２２Ｙの磁極面２２ａおよびマグネット２２Ｙの磁極面２２ｂとそれぞれ対向する。平面部３２Ｚａおよび３２Ｚｂは、マグネット２２Ｚの磁極面２２ａおよびマグネット２２Ｚの磁極面２２ｂとそれぞれ対向する。
【００３０】
板バネは、たとえば、コイル３２に電流が流れていない状態において、固定体２および可動体３を格納状態に維持する。一方、たとえば、コイル３２に電流が流れると、電磁石となったコイル３２に対して、マグネット２２からローレンツ力が加わる。このローレンツ力は、可動体３に対するレンズの光軸方向に沿った駆動力となり、可動体３は、レンズの光軸方向に沿って移動していき、駆動力と板バネの復元力とが釣り合う位置で停止する。そして、コイル３２の電流がゼロになると、板バネの復元力によって、固定体２および可動体３が格納状態に戻される。また、コイル３２に流れる電流の向きに応じて、駆動力の方向が反転する。すなわち、コイル３２に流す電流の向きおよび大きさを適宜調整することによって、光軸方向でのレンズの位置を調整することができる。
【００３１】
上記構成のレンズ駆動装置によれば、平面形状の磁極面と平面部とが対向する配置によって、互いに対向する面積を大きくすることができるので、コイル３２に流れる電流が小さくてもコイル３２に働くローレンツ力を大きくすることができる。これにより、消費電力を低減させることができる。また、固定体２および可動体３が板バネなどの弾性体によって接続される場合において、より弾性率の大きい板バネを用いることができるので、固定体２および可動体３をより堅牢に接続することができる。これにより、レンズ駆動装置１の姿勢変化による配置の歪みを低減するとともに、耐衝撃性を高めることができる。すなわち、姿勢による性能差の低減および耐衝撃性に対して有利に設計することができる。また、製造における板バネの取り扱いの難易度を下げることができるので、生産性を向上させることができる。
【００３２】
＜２．実施形態２＞
次に、本発明の実施形態２について説明する。本実施形態は、実施形態１と比較して、４つのマグネット２２のうちの２つマグネット２２が、２つのベアリング６２に置き換えられている点で相違し、それ以外については同様である。以下、本実施形態が実施形態１の内容と相違する点について具体的に説明する。
【００３３】
図５は、実施形態２のレンズ駆動装置の分解斜視図である。図６は、実施形態２のレンズ駆動装置の外観正面図である。図５および図６に示されるように、実施形態２のレンズ駆動装置４１は、固定体４２、可動体４３、および２つのベアリング６２を含んで構成される。固定体４２は、レンズ駆動装置４１、マグネット２２Ｘ、およびマグネット２２Ｙを含んで構成される。可動体４３は、保持部７１およびコイル３２を含んで構成される。また、ベアリング６２は、溝６４、３つのボール７３、および溝７４を含んで構成される。ボール７３は、それぞれ導電体で球状に形成される。
【００３４】
＜マグネットホルダー６１およびマグネット２２＞
図５および図６に示されるように、本実施形態においては、固定体４２におけるマグネットホルダー６１は、開口部６１ａの形成された底面６１ｂと、底面６１ｂに接続され、かつ略正方形の断面を有する筒部６１ｃと、を有する。２つのマグネット２２は、マグネットホルダー６１の筒部６１ｃの内部空間に設けられる。詳細には、２つのマグネット２２は、筒部６１ｃの内面において隣接する２つの隅にそれぞれ位置するように当該筒部６１ｃの内部空間に設けられる。この際、マグネット２２Ｘおよび２２Ｙは、マグネット２２Ｘの磁極面２２ａとマグネット２２Ｙの磁極面２２ｂとが対向し、かつマグネット２２Ｘの磁極面２２ｂとマグネット２２Ｙの磁極面２２ａとが並ぶように配置される。筒部６１ｃの内面には、マグネット２２Ｘの磁極面２２ｂおよびマグネット２２Ｙの磁極面２２ａに対向する位置に、筒部６１ｃの延伸方向と平行な２つの溝６４がそれぞれ形成される。
【００３５】
＜保持部７１＞
本実施形態においては、可動体４３における保持部７１は、略正方形の断面を有する直方体の形状をしており、ねじ山が形成されたねじ穴７１ａを中央部に有する。ねじ穴７１ａの軸は、当該直方体の高さ方向と平行である。また、保持部７１における４つの側面には、段差７１ｂが連続するように形成されている。また、段差７１ｂには、上記高さ方向と平行な２つの溝７４が並ぶように取り付けられる。
【００３６】
＜コイル３２＞
本実施形態においては、コイル３２は、電線であるマグネットワイヤが、保持部７１の各側面に巻き付けられることによって形成される。図５に示されるように、コイル３２は、平面形状の外周面３３Ｗ、３３Ｘ、３３Ｙ、および３３Ｚを有する。外周面３３Ｗは、平面部３２Ｘａを含む。外周面３３Ｘは、平面部３２Ｘｂおよび平面部３２Ｙａを含む。外周面３３Ｙは、平面部３２Ｙｂを含む。
【００３７】
主に図６に示されるように、可動体４３は、たとえば板バネ（図示しない）を介して固定体４２に接続されている。詳細には、保持部７１は、板バネを介してマグネットホルダー６１に接続されている。より詳細には、可動体４３が、固定体４２の内部空間４２ａに収まった状態すなわち格納状態において、コイル３２の平面部３２Ｘａ、３２Ｘｂ、３２Ｙａ、および３２Ｙｂは、それぞれマグネット２２における対応の磁極面と対向する。具体的には、平面部３２Ｘａおよび３２Ｘｂは、マグネット２２Ｘの磁極面２２ａおよびマグネット２２Ｘの磁極面２２ｂとそれぞれ対向する。平面部３２Ｙａおよび３２Ｙｂは、マグネット２２Ｙの磁極面２２ａおよびマグネット２２Ｙの磁極面２２ｂとそれぞれ対向する。
【００３８】
また、格納状態において、マグネットホルダー６１における２つの溝６４と保持部７１における２つの溝７４とが、それぞれ３つのボール７３を挟んで対向してベアリング６２を形成する。これにより、固定体４２に対して可動体４３を光軸方向に沿って滑らかに移動させることができる。
【００３９】
板バネは、たとえば、コイル３２に電流が流れていない状態において、固定体４２および可動体４３を格納状態に維持する。一方、たとえば、コイル３２に電流が流れると、可動体４３は、レンズの光軸方向に沿って移動していき、駆動力と板バネの復元力とが釣り合う位置で停止する。そして、コイル３２の電流がゼロになると、板バネの復元力によって、固定体４２および可動体４３が格納状態に戻される。すなわち、コイル３２に流す電流の向きおよび大きさを適宜調整することによって、光軸方向でのレンズの位置を調整することができる。
【００４０】
＜３．本発明の特徴＞
上記構成のレンズ駆動装置では、固定体２および４２が、複数の磁極面を有するマグネット２２を含むため、たとえば、１つの磁極面を有するマグネットを用いる場合と比べて、レンズ駆動装置１における部品点数を低減するとともに、製造時におけるマグネット２２の組み付け工数を低減することができる。
【００４１】
上記構成のレンズ駆動装置では、マグネット２２が、２つの磁極面２２ａおよび２２ｂを有するため、マグネット２２の構造を簡素にすることができるので、マグネット２２を容易に製造することができる。
【００４２】
上記構成のレンズ駆動装置では、マグネット２２には、２つの磁極面２２ａおよび２２ｂを斜面とするＶ字状の溝２２ｃが設けられているため、マグネット２２の構造をより簡素にすることができるので、マグネット２２をより容易に製造することができる。また、コイル３２の形状を、溝２２ｃの形状に応じた角を有する形状にすることで、無駄な空間の発生を抑制しながら２つの磁極面および２つの平面部をそれぞれ対向させることができるので、空間を有効に活用することができる。
【００４３】
上記構成のレンズ駆動装置では、マグネット２２が、略台形の断面を有する柱体において、当該台形の下底を含む側面２２ｄにおいて溝２２ｃが当該柱体の高さ方向に沿って設けられた形状をしているため、台形の上底を含む側面２２ｅ側すなわち溝２２ｃの反対側におけるマグネット２２の容積を小さくすることができるので、マグネット２２自体をコンパクトにすることができる。また、マグネット２２をたとえばマグネットホルダー２１、６１に固定する際に溝２２ｃの反対側をマグネットホルダー２１、６１に固定することで、マグネットホルダー２１、６１近傍におけるマグネット２２の容積をより小さくすることができるので、マグネットホルダー２１、６１の形状の自由度を高めることができる。
【００４４】
上記構成のレンズ駆動装置では、溝２２ｃが切削によって形成されるため、マグネット２２の製造を容易にすることができる。また、特殊な形状のマグネットを用いる必要がないため、比較的安価な構成にすることができる。
【００４５】
＜４．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００４６】
実施形態１、２のレンズ駆動装置では、溝２２ｃにおける磁極面２２ａと磁極面２２ｂとがなす角度が略直角である構成について説明したが、当該角度は、１８０°未満であれば、直角以外の角度でもよい。
【００４７】
また、実施形態１、２のレンズ駆動装置では、固定体２、４２において永久磁石のマグネット２２が設けられる構成について説明したが、固定体２、４２には、マグネット２２の代わりに、電磁石が設けられる構成であってもよい。
【００４８】
また、実施形態１、２のレンズ駆動装置では、マグネット２２が、２つの磁極面２２ａ、２２ｂを有する構成について説明したが、マグネット２２が、３つ以上の磁極面を有する構成であってもよい。また、レンズ駆動装置１において複数のマグネット２２が設けられる場合、マグネット２２が、１つの磁極面を有する構成であってもよい。
【００４９】
また、実施形態１、２のレンズ駆動装置では、固定体２が、２つまたは４つのマグネット２２を有する構成について説明したが、固定体２が、１つまたは３つ以上のマグネット２２を有する構成であってもよい。
【００５０】
また、実施形態１、２のレンズ駆動装置では、マグネット２２においてＶ字状の溝２２ｃが設けられる構成について説明したが、マグネット２２には、たとえば、Ｕ字状の溝が設けられる構成であってもよい。
【００５１】
また、実施形態１、２のレンズ駆動装置では、マグネット２２が台形の断面を有する構成について説明したが、マグネット２２が、たとえば四角形などの台形以外の断面を有する構成であってもよい。
【００５２】
また、実施形態１、２のレンズ駆動装置では、マグネット２２において、溝２２ｃが切削によって形成される構成について説明したが、溝２２ｃが、たとえば鋳造などの切削以外の方法によって形成される構成であってもよい。
【００５３】
また、実施形態１、２のレンズ駆動装置では、マグネット２２をＯＩＳ（Optical Image Stabilizer、手振れ補正機構）用のマグネットとして共用することも可能である。
【００５４】
また、実施形態１、２のレンズ駆動装置では、マグネットホルダー２１、６１が樹脂部材によって形成される構成について説明したが、マグネットホルダー２１、６１が、磁性体によって形成される構成であってもよい。この場合、マグネットホルダー２１、６１は、各マグネット２２の磁路形成のためのヨークとして機能する。
【産業上の利用可能性】
【００５５】
本発明は、カメラなどの撮像装置用のオートフォーカス機構として好適に利用される。
【符号の説明】
【００５６】
１…レンズ駆動装置
２…固定体
２ａ…内部空間
３…可動体
２１…マグネットホルダー
２１ａ…開口部
２１ｂ…底面
２１ｃ…筒部
２２…マグネット
２２ａ、２２ｂ…磁極面
２２ｃ…溝
２２ｄ、２２ｅ…側面
２２Ｗ、２２Ｘ、２２Ｙ、２２Ｚ…マグネット
３１…保持部
３１ａ…ねじ穴
３１ｂ…溝
３２…コイル
３２Ｗａ、３２Ｗｂ…平面部
３２Ｘａ、３２Ｘｂ…平面部
３２Ｙａ、３２Ｙｂ…平面部
３２Ｚａ、３２Ｚｂ…平面部
３３Ｗ、３３Ｘ、３３Ｙ、３３Ｚ…外周面
４１…レンズ駆動装置
４２…固定体
４２ａ…内部空間
４３…可動体
６１…マグネットホルダー
６１ａ…開口部
６１ｂ…底面
６１ｃ…筒部
６２…ベアリング
６４…溝
７１…保持部
７１ａ…ねじ穴
７１ｂ…段差
７３…ボール
７４…溝
Ｐ１…Ｓ磁極
Ｐ２…Ｎ磁極
【図１】
2019090846.tif 000003
【図２】
2019090846.tif 000004
【図３】
2019090846.tif 000005
【図４】
2019090846.tif 000006
【図５】
2019090846.tif 000007
【図６】
2019090846.tif 000008